(57)【要約】      （修正有）【課題】トイレ個室内において患者や老人等のトイレ利用者に異常が発生した場合に、この異常を早急に外部に知らせることができる安価かつ簡易な警報装置であって、既存のトイレ個室にも簡単に取り付けることのできる警報装置を提供する。【解決手段】個室９の扉を施錠および解錠するロックと、ロックの施錠を検知したときにタイマの時間計測を開始しロックの解錠を検知したときにタイマを初期状態にリセットするとともにロックの解錠の検知をすることなく設定時間を経過したときにアラームへ信号出力する出力手段を備えたタイマと、個室９外部へ警報音および／または警報光を発するアラームを備えてなることを特徴とする警報装置。【選択図】図１
2010182169.tif 000002
【特許請求の範囲】
【請求項１】
人が入退室するトイレ等の個室の扉を施錠および解錠するロックと、前記ロックの施錠を検知したときにタイマの時間計測を開始し前記ロックの解錠を検知したときに前記タイマを初期状態にリセットするとともに前記ロックの解錠の検知をすることなく設定時間を経過したときにアラームへ信号出力する出力手段を備えたタイマと、前記個室外部へ警報音および／または警報光を発するアラームを備えてなることを特徴とする警報装置。
【請求項２】
ロックは個室の扉の少なくとも一方に設置される可動式の鍵部を有し、前記タイマは前記鍵部の当接および離脱または前記鍵部の通過を検知するセンサーを備え、前記鍵部を前記センサーが検知することでタイマの動作が切り替えられることを特徴とする請求項１記載の警報装置。
【請求項３】
ロックは扉の一方内側に設置されるスライド式の雄鍵部と扉の他方内側に設置され前記雄鍵部が挿入離脱される雌鍵部を備え、前記雌鍵部に直接または前記雌鍵部近傍に配設されたセンサーが前記雌鍵部への前記雌鍵部の挿入を検知してタイマが時間計測を開始するとともに前記雌鍵部からの前記雄鍵部の離脱をセンサーが検知して前記タイマを初期状態にリセットすることを特徴とする請求項１または請求項２記載の警報装置。
【請求項４】
ロック機構は、扉の一方内側に設置される回転式の鉤状鍵部と、扉の他方内側に設置される前記鉤状鍵部が係合する係合部を備え、前記係合部に直接または前記係合部近傍に配設されたセンサーが前記係合部への前記鉤状鍵部の係合を検知してタイマが時間計測を開始するとともに前記係合部からの前記鉤状鍵部の離脱をセンサーが検知して前記タイマを初期状態にリセットすることを特徴とする請求項１または請求項２記載の警報装置。
【発明の詳細な説明】
【技術分野】
【０００１】
本発明は、警報装置および警報システムに関し、特にトイレ個室のドアの開閉と連動して作動する警報装置および当該警報装置を用いた警報システムに関する。
【背景技術】
【０００２】
病院や介護施設等において、特に患者や老人などのトイレ利用者がトイレ個室利用中において急に状態が悪化した場合には、この異常を外部に早急に知らせ一刻も早く処置を行う必要がある。従来、トイレ個室内に警報ボタンを設置し、トイレ利用者が警報ボタンを押すことで外部に知らせる手段はあったが、状態が急変した場合にはトイレ利用者自身が当該警報ボタンを押すことすらできない場合がある。そこで、警報ボタンを用いずにトイレや浴室等における突然の異常を知らせるための警報システムには、家屋内の所定個所に配した複数の生活スイッチと、該生活スイッチのオンオフ切換を検出する切換検出装置と、該切換検出装置が生活スイッチのオンオフ切換を検出したときにタイマメモリを初期化する更新部と所定タイミングでタイマメモリが初期化されないときに外部管理装置へ警告信号出力するアラーム装置がある（特許文献１）がある。
【０００３】
また、人が入、退するトイレ、浴室などの監視空間に設置され、その監視空間への人の入、退を検知するセンサーと、このセンサーが人の出を検知したときに起動され、同じ監視空間内に、人が入った後、再度出たときにリセットされた後、再起動される生活監視タイマと、メモリを有し、上記生活監視タイマの基準計時値を予め設定出来るようにした基準計時値設定手段と、上記生活監視タイマの計時値と、上記基準計時値設定手段によって設定された基準計時値とを比較参照し、上記生活監視タイマの計時値が基準計時値を超えているかどうかを判断する判断処理部と、この判断処理部によって、上記生活監視タイマの計時値が上記設定手段によって設定された基準計時値を超えたと判別したときには、警報音を出力する警報発生手段とを備えたことを特徴する生活情報異常監視システムがある（特許文献２）がある。
【特許文献１】特開平７−２３９９９１
【特許文献２】特開平８−１８０２８２
【発明の開示】
【発明が解決しようとする課題】
【０００４】
上記特許文献１および特許文献２に記載の発明はいずれも設定時間以上人の動きが観察されない場合には外部に異常を知らせる警報が発されるシステムであるが、特許文献１記載の発明は、複数個所にスイッチを設けることが想定されており、警報送信先は離れた場所にある管理センターが想定されている。また、特許文献２記載の発明もセンサーとタイマーの組合せにより設定時間以上人の入退室が感知されない場合には、警報が発されるシステムであるが、入退室を感知するセンサーには赤外線センサーが想定されており、また警報器にはワイヤレス発信器が用いられている。いずれのシステムにおいても、高額なセンサーと複雑なシステムネットワークが必要とされ、簡単な構造でトイレ個室内における異常を外部に知らせる構成とはいえない。
【０００５】
そこで、本願発明は主として病院や介護施設におけるトイレ個室内において患者や老人等のトイレ利用者に異常が発生した場合に、この異常を早急に外部に知らせることができる安価かつ簡易な警報装置であって、既存のトイレ個室にも簡単に取り付けることのできる警報装置を提供することを目的とする。
【課題を解決するための手段】
【０００６】
そこで本願発明の警報装置は、人が入退室するトイレ等の個室の扉を施錠および解錠するロックと、前記ロックの施錠を検知したときにタイマの時間計測を開始し前記ロックの解錠を検知したときに前記タイマを初期状態にリセットするとともに前記ロックの解錠の検知をすることなく設定時間を経過したときにアラームへ信号出力する出力手段を備えたタイマと、前記個室外部へ警報音および／または警報光を発するアラームを備えてなることを特徴とするものである。
【０００７】
ロックは個室の扉の少なくとも一方に設置される可動式の鍵部を有し、前記タイマは前記鍵部の当接および離脱または前記鍵部の通過を検知するセンサーを備え、前記鍵部を前記センサーが検知することでタイマの動作が切り替えられることを特徴とするものである。
【０００８】
ロックは扉の一方内側に設置されるスライド式の雄鍵部と扉の他方内側に設置され前記雄鍵部が挿入離脱される雌鍵部を備え、前記雌鍵部に直接または前記雌鍵部近傍に配設されたセンサーが前記雌鍵部への前記雌鍵部の挿入を検知してタイマが時間計測を開始するとともに前記雌鍵部からの前記雄鍵部の離脱をセンサーが検知して前記タイマを初期状態にリセットすることを特徴とするものである。
【０００９】
ロック機構は、扉の一方内側に設置される回転式の鉤状鍵部と、扉の他方内側に設置される前記鉤状鍵部が係合する係合部を備え、前記係合部に直接または前記係合部近傍に配設されたセンサーが前記係合部への前記鉤状鍵部の係合を検知してタイマが時間計測を開始するとともに前記係合部からの前記鉤状鍵部の離脱をセンサーが検知して前記タイマを初期状態にリセットすることを特徴とするものである。
【発明の効果】
【００１０】
上述したごとく、人が入退室するトイレ等の個室の扉を施錠および解錠するロックと、前記ロックの施錠を検知したときにタイマの時間計測を開始し前記ロックの解錠を検知したときに前記タイマを初期状態にリセットするとともに前記ロックの解錠の検知をすることなく設定時間を経過したときにアラームへ信号出力する出力手段を備えたタイマと、前記個室外部へ警報音および／または警報光を発するアラームを備えてなることにより、トイレ利用者が個室内で急変を起こした場合にあっても、警報ボタンを押したりせずとも外部に異常を知らせることができる。したがって、外部の医師、看護士、介護士、家族等はトイレ個室内の異常をただちに知ることができ、早急に処置をすることができる。特に、当該警報装置は、ロックと連動するタイマおよびアラームから構成されるため、トイレに設置されているロックと、一般に販売されているタイマおよびアラームを組み合わせることで製造することができ、安価かつ容易に設置することができる。尚、公衆トイレ等不特定多数が利用するトイレ個室に本願発明の警報装置を設置することにより一定時間以上のトイレ個室の利用を警告することができ、犯罪抑制効果を得ることも可能である。
【００１１】
ロックは個室の扉の少なくとも一方に設置される可動式の鍵部を有し、前記タイマは前記鍵部の当接および離脱または前記鍵部の通過を検知するセンサーを備え、前記鍵部を前記センサーが検知することにより、センサーによる鍵部の検知という容易かつ確実な手段で、ロックの施錠・解錠を検知し、タイマを動作させ外部へ警告を発することができる。
【００１２】
ロックは扉の一方内側に設置されるスライド式の雄鍵部と扉の他方内側に設置され前記雄鍵部が挿入離脱される雌鍵部を備え、前記雌鍵部に直接または前記雌鍵部近傍に配設されたセンサーが前記雌鍵部への前記雌鍵部の挿入を検知してタイマが時間計測を開始するとともに前記雌鍵部からの前記雄鍵部の離脱をセンサーが検知して前記タイマを初期状態にリセットすることにより、従来からトイレ等の個室に設置されている内鍵に対しても警報装置を設置することができ、既存のロックをそのまま用いて警報装置を取り付けることができる。
【００１３】
ロック機構は、扉の一方内側に設置される回転式の鉤状鍵部と、扉の他方内側に設置される前記鉤状鍵部が係合する係合部を備え、前記係合部に直接または前記係合部近傍に配設されたセンサーが前記係合部への前記鉤状鍵部の係合を検知してタイマが時間計測を開始するとともに前記係合部からの前記鉤状鍵部の離脱をセンサーが検知して前記タイマを初期状態にリセットすることにより、従来からトイレ等の個室に設置されている内鍵に対しても警報装置を設置することができ、既存のロックをそのまま用いて警報装置を取り付けることができる。
【発明を実施するための最良の形態】
【００１４】
図１は、本願発明の警報装置の設置場所、本願発明においてはトイレの個室をあらわした斜視図である。図２は、本願発明の第一の実施の形態の警報装置において解錠状態を示す回路図、図３は、図２に示す警報装置の施錠状態を示す回路図である。図４は、本願発明の第二の実施の形態の警報装置において解錠状態を示す回路図、図５は、図４に示す警報装置の施錠状体を示す回路図である。図６は、本願発明の警報装置の動作を示すブロック図、図７は本願発明の警報装置の動作を示すフローチャートである。以下に代表的な二つの構成を説明する。
【００１５】
本願発明の第一の実施の形態の警報装置１について図１乃至図３、図６、図７に基づき説明する。図１乃至図３に示すように警報装置本体１は内鍵式のトイレ個室９内部に取り付けられた警報装置本体１に接続されてなる緊急ブザー４２、緊急ランプ４３がトイレ個室９の外部側に取り付けられている。警報装置本体１１は、ロック２と、ロック２と連動して動作するタイマ３、タイマ３と連動して動作するアラーム４からなり、ロックの動作と連動するタイマとアラームが電気的に連通している。
【００１６】
この警報装置１は、ロック２の施錠を検知したときにタイマ３の時間計測を開始し前記ロック２の解錠を検知したときにタイマ３のメモリを初期状態にリセットするとともにロック２の解錠の検知をすることなく設定時間を経過したときにアラーム４へ信号出力する出力手段を備えたタイマ３と、個室９外部へ警報音と警報光を発するアラーム４を備えている。
【００１７】
ロック２は、トイレ個室９内の扉の一方内側９１に設置されるスライド式の雄鍵部２１と、扉の他方内側９２に設置される雌鍵部２３からなり、雄鍵部２１は雌鍵部２３に嵌合可能な棒形状に形成されてなり、扉の他方内側９２に設置される雌鍵部２３は、雄鍵部２１と嵌合可能な嵌合孔が形成され、図３に示すごとく雄鍵部２１が雌鍵部２３に嵌合することにより扉が施錠され、図２示すごとく雄鍵部２１が雌鍵部２３より離脱することにより扉が解錠可能になっている。雌鍵部２３側には、わずかな重量も検知できる静電容量センサー３１が配設されてなりこのセンサー３１が雄鍵部２１の挿入および離脱を検知してタイマ３のスイッチをオン・オフしタイマ３を動作させるようになっている。すなわち雄鍵部２１はが鍵部２３と嵌合して施錠状態となったとき、その先端部２２がセンサー３１当接することによりタイマ３のスイッチがオンとなって時間計測が開始され、先端部２２がセンサー３１から離脱することによりタイマ３のスイッチがオフとなってタイマ３はリセットされるようになっている。尚、ロック２には、雄鍵部２１のスライドに連動するトイレ個室９外部からも操作可能な回転円盤２４を設け、外部への施錠・解錠状態を知らせるサインとし、外部から回転円盤２４を回転させてトイレ個室９を強制的に解錠できる構成としてもよい。
【００１８】
タイマ３は、センサー３１と時間計測手段としてのタイマメモリ３２とアラーム４への信号出力手段を有し、これらは回路により連通している。タイマ３を動作させる手段は機械的、電気的、光学的いかなる手段であってもよいが、タイマ３のセンサー３１は、雄鍵部２１のわずかな当接や重さを感知する静電容量センサーであり、雄鍵部先端２２の当接・離脱を検知してタイマ３に通電しタイマ３のタイマメモリ３２を動作させる構成になっている。タイマメモリ３２は、センサー３１が施錠を検知すると時間計測を開始する機械式または電気式の装置で、所望時間の設定が可能であってタイマメモリ３２のオンとともに時間減算が開始し残存時間がゼロとなったときアラーム４のスイッチ４１に信号出力して緊急ブザー４２や緊急ランプ４３を動作させる回路構成となっている。また、残存時間がゼロとなる前にセンサー３１が解錠を検知するとタイマメモリ３２はオフとなり時間計測は初期状態すなわち設定時間がフルの状態に戻る回路構成となっている。尚、設定時間は、通常人がトイレ個室を利用する時間、すなわち、１０分程度に設定することが望ましいが、設置場所により適宜調節ができるようになっている。
【００１９】
アラーム４は、タイマ３からの信号によりオンとなるスイッチ４１と、トイレ個室９外部に配設される緊急ブザー４２、緊急ランプ４３からなり、設定時間以上ロックが解錠されないとアラーム４のスイッチ４１が入り、緊急ブザー４２は警報音を鳴らすとともに、緊急ランプ４３は点灯または点滅する回路構成になっている。
【００２０】
この警報装置１の動作について、図６、図７により説明する。トイレ利用者がトイレ個室９に入室し、ロック２を施錠すると、タイマ３のセンサー３１が施錠を検知し、タイマメモリの時間計測が始動する。トイレ利用者が設定時間内に解錠した場合センサー３１はロックの解錠を検知しタイマ３の対守り３１はリセットされ初期状態に戻る。一方、設定時間を経過してもロックが解錠されない場合、タイマ３はアラーム４へ信号出力しスイッチ４１がオンになると、緊急ブザー４２が警報音を鳴らし、緊急ランプ４３が点灯または点滅する。
【００２１】
本願発明の第二の実施の形態の警報装置５について図１、図４，図５、図６、図７に基づき説明する。図１、図４、図５に示すように警報装置本体１は内鍵式のトイレ個室９内部に取り付けられた警報装置本体５に接続されてなる緊急ブザー４２、緊急ランプ４３がトイレ個室９の外部側に取り付けられている。警報装置本体５１は、ロック６と、ロック６と連動して動作するタイマ３、タイマ３と連動して動作するアラーム４からなり、ロック６の動作と連動するタイマ３とアラーム４が電気的に連通している。
【００２２】
この警報装置５は、ロック２の施錠を検知したときにタイマ３の時間計測を開始し前記ロック６の解錠を検知したときにタイマ３のメモリを初期状態にリセットするとともにロック６の解錠の検知をすることなく設定時間を経過したときにアラーム４へ信号出力する出力手段を備えたタイマ３と、個室９外部へ警報音と警報光を発するアラーム４を備えている。
【００２３】
ロック６は、トイレ個室９内の扉の一方内側９１に設置される回転式の鉤状鍵部６１と、扉の他方内側９２に設置される係合部６３からなり、第二の実施の形態において、鉤状鉤部６１は、先端にフック部６２が形成され、係合部６３に係合可能となっている。一方、扉の他方内側９２に設置される係合部３は、鉤状鉤部６１のフック部６２が係合可能な突起状に形成され、図４に示すごとく鉤状鉤部６１のフック部６２が係合部６３に係合することにより扉が施錠され、図６に示すごとく鉤状鉤部６１が係合部６３より離脱することにより扉が解錠可能になっている。係合部３側には、センサー３１が配設されフック部６２の通過を検知してタイマ３のスイッチをオン・オフし、タイマ３を動作させるようになっている。すなわち雄鍵部２１はが鍵部２３と嵌合して施錠状態となったとき、センサー３１がフック部６２の通過を検知することによりタイマ３のスイッチがオンとなって時間計測が開始され、センサーがフック部６２の再度の通過を検知することによりタイマ３のスイッチがオフとなってタイマ３はリセットされるようになっている。尚、ロック６には、鉤状鉤部６１の動作に連動するトイレ個室９外部からも操作可能な回転円盤６４を設け、外部への施錠・解錠状態を知らせるサインとし、また外部から回転円盤６４を回転させてトイレ個室９を強制的に解錠できる構成としてもよい。
【００２４】
タイマ３は、センサー３１と時間計測手段としてのタイマメモリ３２とアラーム４への信号出力手段を有し、これらは回路により連通している。タイマを動作させる手段は機械的、電気的、光学的いかなる手段であってもよいが、本実施の形態においては、係合部６３側にフック部６２通過を検知するフォトインタラプタのごとき物体検出センサーを設け、フック部６２の一度目の通過および再度の通過を検知してタイマ３に通電しタイマ３のタイマメモリ３２を動作させる構成になっている。タイマメモリ３２は、センサー３１がフック部６２の上方側からの通過を検知することによりオン状態となり時間計測を開始する機械式または電気式の装置で、所望時間の設定が可能であってタイマメモリ３２のオンとともに時間減算が開始し残存時間がゼロとなったときアラーム４に信号出力し緊急ブザー４２や緊急ランプ４３を動作させる回路構成となっている。また、残存時間がゼロとなる前にセンサー３１が雄鍵部２１の離脱を検知するとタイマメモリ３２はオフとなり時間計測は初期状態すなわち設定時間がフルの状態に戻る回路構成となっている。尚、設定時間は、通常人がトイレ個室を利用する時間、すなわち、１０分程度に設定することが望ましいが、設置場所により適宜調節ができるようになっている。
【００２５】
アラーム４は、タイマ３からの信号によりスイッチがオンとなるスイッチ４１と、トイレ個室９外部に配設される緊急ブザー４２、緊急ランプ４３からなり、設定時間以上タイマ３２が解除されないとアラーム機構４のスイッチ４１が入り、緊急ブザー４２は警報音を鳴らすとともに、緊急ランプ４３は点灯または点滅する回路構成になっている。
【００２６】
この警報装置５の動作について説明する。トイレ利用者がトイレ個室９に入室し、ロック６を施錠すると、タイマ３のセンサー３１が施錠を検知し、タイマメモリの時間計測が始動する。トイレ利用者が設定時間内に解錠した場合、センサー３１はこれを検知しタイマ３はリセットされ初期状態に戻る。一方、設定時間を経過しても解錠されない場合、タイマ３はアラーム４へ信号出力し、スイッチ４１がオンになると緊急ブザ４２が警報音を鳴らし、緊急ランプ４３が点灯または点滅する。
【００２７】
尚、ロック、タイマ、アラーム、センサーの各構造と回路構成は上述したものに限定されるものではなく、特にロックの構造は、上述した手動の挿入式または回転式の施錠機構に限られるものではない。また、タイマを動作させる手段は上述のセンサーに限られるものではなく、いかなる手段でロックの施錠・解錠を検知するものであってもよい。また、外部への異常を知らせる手段は緊急ブザー、緊急ランプが最も簡易な装置であるが、これらに限られるものではなく、緊急アナウンス、ナースセンター等に設置された受信装置への緊急電波発信等他の手段によるものであってもよい。また、緊急ブザーまたは緊急ランプいずれか一方であってもよい。
【図面の簡単な説明】
【００２８】
【図１】警報装置が設置されるトイレ個室をあらわした斜視図。
【図２】第一の実施の形態の警報装置において解錠状態を示す回路図。
【図３】図２に示す警報装置の施錠状態を示す回路図。
【図４】第二の実施の形態の警報装置において解錠状態を示す回路図。
【図５】図４に示す警報装置の施錠状体を示す回路図。
【図６】警報装置の動作を示すブロック図。
【図７】警報装置の動作を示すフローチャート。
【符号の説明】
【００２９】
１    警報装置
１１  警報装置本体
２    ロック
２１  雄鍵部
２２  雄鍵部先端
２３  雌鍵部
２４  回転円盤
３    タイマ
３１  タイマスイッチ
３２  タイマ
４    アラーム
４１  アラームスイッチ
４２  緊急ブザー
４３  緊急ランプ
５    警報装置
５１  警報装置本体
６    ロック
６１  鉤状鍵部
６２  フック部
６３  係合部
６４  回転円盤
【図１】
2010182169.tif 000003
【図２】
2010182169.tif 000004
【図３】
2010182169.tif 000005
【図４】
2010182169.tif 000006
【図５】
2010182169.tif 000007
【図６】
2010182169.tif 000008
【図７】
2010182169.tif 000009